(57)【要約】【課題】掃除する際の手間を軽減し、また充電台を狭い場所でも設置できるようにする。【解決手段】電気掃除機を充電するための充電端子３を有する充電台本体４が設けられ、この充電台本体４はその側方に補助台６を有する。充電台本体４の一端面４Ａには連結具１２′が、補助台６の側面６Ａには連結具１２″がそれぞれ取り付けられ、これらの連結具１２′，１２″には、電気掃除機に装着して使用される掃除機付属品を収納する収納容器が着脱自在に取り付けられる。【選択図】　　　　図３
2004024760.tif 000002
【特許請求の範囲】
【請求項１】
電気掃除機を充電するための充電端子を有する充電台本体に、電気掃除機に装着して使用される掃除機付属品を収納する収納容器を、着脱自在に取り付けたことを特徴とする電気掃除機用充電台。
【請求項２】
請求項１に記載の電気掃除機用充電台において、
前記充電台本体には、前記収納容器を着脱自在に取り付けるための取付手段が複数箇所に設けられていることを特徴とする電気掃除機用充電台。
【請求項３】
請求項１又は２に記載の電気掃除機用充電台において、
前記収納容器には、ベルトが着脱自在に取り付けられることを特徴とする電気掃除機用充電台。
【請求項４】
掃除機本体と、該掃除機本体に装着して使用される掃除機付属品を収納する収納容器と、前記掃除機本体を肩掛けするために使用され前記掃除機本体に着脱自在に取り付けられたベルトとを備え、
前記ベルトは、前記掃除機本体から取り外して前記収納容器に取付可能であるとともに、使用しないときにはベルトユニットに巻き取られていることを特徴とする電気掃除機。
【請求項５】
請求項４に記載の電気掃除機において、
前記収納容器は、前記掃除機本体、および前記掃除機本体を充電するための充電台のそれぞれに着脱自在に取り付けられることを特徴とする電気掃除機。
【発明の詳細な説明】
【０００１】
【発明の属する技術分野】
本発明は、充電池内蔵の電気掃除機を充電するための電気掃除機用充電台、および電気掃除機に関する。
【０００２】
【従来の技術】
充電池内蔵の電気掃除機においては、充電池を充電するための充電台が必要である。このような充電台は、充電端子が設けられた充電台本体を備え、この充電台本体の上に掃除機本体を載置すると、掃除機本体の接続端子が充電台本体の充電端子に接続され、掃除機本体内の充電池に対して充電が自動的に開始される。
【０００３】
上記充電台本体のケースは樹脂等で形成され、従来の充電台では、延長管や丸ブラシ等の掃除機付属品を収納する収納部が充電台本体に一体成形されている。例えば、充電台本体の一側の２つの角部に有底カップ状収納部を充電台本体のケースと共に一体的に成形し、これら有底カップ状収納部の一方に延長管を、他方に丸ブラシをそれぞれ収納できるようにしたものが知られている。
【０００４】
【発明が解決しようとする課題】
しかしながら、上記従来の技術では、掃除中に掃除機付属品を使用したい場合、充電台を設置した場所まで取りに戻らなければならず、掃除の際の手間が掛かって非常に煩わしい。
【０００５】
また、充電台本体の角部に収納部が一体的に成形されているので、充電台の幅が大きく、かつ長さも長い。そのため、充電台の設置には十分なスペースが必要となっている。
【０００６】
本発明は、掃除する際の手間を軽減し、また充電台を狭い場所でも設置できるようにすることを課題とする。
【０００７】
【課題を解決するための手段】
上記課題を解決するために、本発明は、電気掃除機を充電するための充電端子を有する充電台本体に、電気掃除機に装着して使用される掃除機付属品を収納する収納容器を、着脱自在に取り付けたことを特徴としている。
【０００８】
上記構成によれば、掃除機付属品を収納した収納容器を充電台本体から切り離して携帯することができるので、充電台本体を設置した場所に掃除機付属品をわざわざ取りに行かなくても済み、掃除する際の手間が軽減される。
【０００９】
また、収納容器が着脱自在であるから、電気掃除機用充電台のコンパクト化を図ることが可能となり、設置場所が狭くても電気掃除機用充電台を容易に設置することができる。
【００１０】
【発明の実施の形態】
以下、本発明の実施の形態を図面に従って説明する。
（実施の形態１）
図１は本発明に係る電気掃除機用充電台１の平面図、図２は図１のＡ−Ａ線に沿った断面図である。なお、図２では電気掃除機用充電台１の上に掃除機本体２が載置された状態を示している。
【００１１】
電気掃除機用充電台１は、上面に充電端子３が設けられた充電台本体４を備え、この充電台本体４の上に掃除機本体２が載置されると、掃除機本体２の図示していない接続端子が充電端子３に結合され、掃除機本体２に充電を行うことができる。充電台本体４の上面５は、掃除機本体２を立てた状態で載置できるよう断面が凹曲面に形成されている。充電台本体４の斜視図を図３に示す。
【００１２】
充電台本体４には、その側方に補助台６（補助台６も充電台本体４の一部である）が設けられている。この補助台６は、掃除機本体２を充電台本体４に載置したとき、掃除機本体２が側方に転倒するのを防ぐためのものである。
【００１３】
また、電気掃除機用充電台１は、掃除機本体２に装着して使用される掃除機付属品、例えば図８に示すような延長管７や丸ブラシ８などを収納する収納容器９を備え、この収納容器９は充電台本体４に着脱自在に取り付けられている。
【００１４】
収納容器９は、図４に示すように、直方体の上部２つの角部が斜めにカットされた形状をなしており、２つのカット面９Ａ，９Ｂが形成されている。カット面９Ａ，９Ｂには貫通孔１０，１１がそれぞれ形成され、延長管７や丸ブラシ８は、それらの管部７Ａ，８Ａが貫通孔１０，１１にそれぞれ挿入されて、収納容器９に収納される。
【００１５】
なお、収納容器９には、カット面９Ａ，９Ｂ間上方に上面９Ｃが、カット面９Ａの下方に側面９Ｄが、カット面９Ｂの下方に側面９Ｅがそれぞれ形成されている。また、カット面９Ａ，９Ｂ、上面９Ｃ、側面９Ｄ，９Ｅの一側には正面９Ｆが、他側に背面９Ｇがそれぞれ形成されている。
【００１６】
収納容器９の側面９Ｄの中央部には、表面から突出して雄型連結具１２が設けられている。この雄型連結具１２は、図５に示すように、上面および背面が開放された小さな箱型形状をなし、背面側が収納容器９の側面９Ｄに固定される。雄型連結具１２の前面には縦長の開口１２Ａが形成され、この開口１２Ａは上面の開放端まで達している。また、雄型連結部１２の内部には小さな平板１２Ｂが縦方向に配置されている。
【００１７】
収納容器９の背面９Ｇの下部中央には、表面内側に雌型連結具１３が設けられている。この雌型連結具１３は、図４および図６に示すように、背面９Ｇの下部中央に形成された凹部９Ｈと、この凹部９Ｈ内に固定され断面が略Ｈ形状の係合部材１４からなる。
【００１８】
また、収納容器９の上面９Ｃには凹部９Ｉが設けられ、この凹部９Ｉには例えば延長管８のフックを係止することができる。
【００１９】
図５に示した雄型連結具１２は、収納容器９だけでなく、図３に示すように、充電台本体４の一端面４Ａ（図１参照）下部および補助台６の側面６Ａ下部にも取り付けられている。ここで、充電台本体４の一端面４Ａに取り付けられた雄型連結具を符号１２′とし、補助台６の側面６Ａに取り付けられた雄型連結具を符号１２″とする。雄型連結具１２′は充電台本体４の一端面４Ａから突出して設けられ、また雄型連結具１２″も補助台６の側面６Ａから突出して設けられている。
【００２０】
上記構成において、掃除機本体２の内蔵電池に充電する場合は、図２のように充電台本体４に掃除機本体２を載置して充電を行う。そして、収納容器９を充電台本体４の一端面４Ａ側に連結する場合は、収納容器９の背面９Ｇの凹部９Ｈを雄型連結具１２′に位置合わせして、収納容器９を押し下げることにより、雌型連結具１３と雄型連結具１２′とを連結させることができる。
【００２１】
雌型連結具１３と雄型連結具１２′とを連結したときは、図６に二点鎖線で示すように、雄型連結具１２′のＬ字状部分の先端が係合部材１４の間に入り込み、収納容器９は充電台本体４に強固に保持される。収納容器９が充電台本体４に強固に保持されていれば、カット面９Ａ，９Ｂの貫通孔１０，１１に延長管７や丸ブラシ８等を収納しても収納容器９が倒れることはなく、掃除機付属品を問題なく収納できる。
【００２２】
収納容器９を充電台本体４から取り外す場合は、収納容器９を上方に引き上げることにより、雌型連結具１３と雄型連結具１２′との連結が解かれ、収納容器９を充電台本体４から容易に切り離すことができる。
【００２３】
充電台本体４の一端面４Ａに収納容器９を連結すると、長手方向の長さが大きくなって、電気掃除機用充電台１の設置スペースに困る場合がある。このような場合は、収納容器９を補助台６の側面６Ａ側に連結する。すなわち、収納容器９の背面９Ｇの凹部９Ｈを雄型連結具１２″に位置合わせして、収納容器９を押し下げることにより、雌型連結具１３と雄型連結具１２″とを連結させることができる。
【００２４】
また、収納容器９を補助台６４から取り外す場合は、収納容器９を上方に引き上げることにより、雌型連結具１３と雄型連結具１２″との連結が解かれ、収納容器９を補助台６から容易に切り離すことができる。
【００２５】
本実施の形態によれば、充電台本体４の一端面４Ａおよび補助台６の側面６Ａに雄型連結具１２′，１２″をそれぞれ取り付け、さらに収納容器９の背面９Ｇに雌型連結具１３を設けたので、収納容器９を充電台本体４の一端面４Ａ側または補助台６の側面６Ａ側のどちらに対しても容易に着脱することができる。その結果、スペースに合わせるなど使用者の望む形態で電気掃除機用充電台１を設置することが可能となる。
【００２６】
なお、充電台本体４の一端面４Ａや補助台６の側面６Ａに収納容器９を連結するには、雄型連結具１２および雌型連結具１３に代わりに、マグネットやマジックテープ（登録商標）等を用いることもできる。
【００２７】
（実施の形態２）
次に、本発明の実施の形態２について説明する。図４で説明したように、収納容器９の側面９Ｄには雄型連結具１２が取り付けられている。この雄型連結具１２には、図９に示すようなベルト巻取り装置２０が連結される。
【００２８】
ベルト巻取り装置２０は巻回されたベルト２１を有し、このベルト２１は、図示していないバネによって巻取り方向に付勢され、かつベルト２１を引き出したときは、ベルト２１を任意の長さで止めることができる。ベルト２１の端部にはフック２２が固定されている。
【００２９】
また、ベルト巻取り装置２０には、その側面に係合部材１４′が取り付けられている。この係合部材１４′は、図７に示した係合部材１４と同じものである。
【００３０】
上記構成において、ベルト巻取り装置２０の係合部材１４′を収納容器９の雄型連結具１２に連結する。そして、図１０に示すように、ベルト巻取り装置２０からベルト２１を引き出して任意の長さで止めるとともに、ベルト２１先端のフック２２を収納容器９の側面９Ｅの止め具９Ｊに固定すると、ベルト２１を例えば肩に掛けることが可能となり、延長管７や丸ブラシ８等の掃除機付属品を収納容器９に収納した状態で携帯して掃除を行うことができる。
【００３１】
本実施の形態によれば、掃除中に掃除機付属品を使用したい場合、直ちに使用することができ、効率よく掃除を行うことができる。
【００３２】
また、掃除機付属品を使用しない場合は、充電台本体４に収納容器９を連結したままにしておくことにより、掃除機付属品の整理整頓が容易となる。
【００３３】
さらに、掃除機本体２を持ち運ぶ際のベルト装置を、ベルト巻取り装置２０と兼用して用いることができるので、経済的である。
【００３４】
【発明の効果】
以上説明したように、本発明によれば、掃除機付属品を収納した収納容器を充電台本体から切り離して、掃除中に携帯することができるので、掃除機付属品を任意の場所で自由に使用することができる。その結果、掃除する際の手間が軽減される。
【００３５】
また、収納容器が着脱自在であるから、電気掃除機用充電台がコンパクト化され、設置場所が狭くても電気掃除機用充電台を容易に設置することができる。
【図面の簡単な説明】
【図１】本発明に係る電気掃除機用充電台の平面図である。
【図２】図１のＡ−Ａ線に沿った断面図である。
【図３】充電台本体の斜視図である。
【図４】収納容器の斜視図である。
【図５】雄型連結具の斜視図である。
【図６】雄型連結具と雌型連結具とが連結した様子を示した図である。
【図７】雌型連結具の構成部品の一つである係合部材の斜視図である。
【図８】図１のＢ−Ｂ線に沿った断面図である。
【図９】ベルト巻取り装置の斜視図である。
【図１０】ベルト巻取り装置を収納容器に連結した様子を示した図である。
【符号の説明】
１　電気掃除機用充電台
２　掃除機本体
３　充電端子
４　充電台本体
６　補助台
７　延長管
８　丸ブラシ
９　収納容器
１２，１２′，１２″　雄型連結具
１３　雌型連結具
１４，１４′　係合部材
２０　ベルト巻取り装置
２１　ベルト
２２　フック
【図１】
2004024760.tif 000003
【図２】
2004024760.tif 000004
【図３】
2004024760.tif 000005
【図４】
2004024760.tif 000006
【図５】
2004024760.tif 000007
【図６】
2004024760.tif 000008
【図７】
2004024760.tif 000009
【図８】
2004024760.tif 000010
【図９】
2004024760.tif 000011
【図１０】
2004024760.tif 000012